(57)【特許請求の範囲】
【請求項１】
複数の機能を備え且つこの複数の機能の内の一又は二以上を選択し稼働状態に設定する機能選択設定部を備えた携帯電話機と、この携帯電話機が特定の空間領域に入った場合に当該携帯電話機に対して外部から所定の規制信号を送り込んで前記複数の機能の内の一又は二以上の機能を稼働禁止状態に設定する携帯電話制御装置とを備え、
前記携帯電話機に、前記携帯電話制御装置からの規制信号に付勢されて作動し前記機能選択設定部による設定に優先して前記複数の機能の内の一又は二以上の特定の機能を稼働停止状態に設定する特定機能停止制御部を設け、
前記規制信号には、前記携帯電話機に将来的に付加される機能に対しても稼働禁止制御の対象とする複数の付加機能稼働禁止情報が含まれ、
前記携帯電話制御装置は、前記携帯電話機が備えている複数の各機能の実行を禁止するか否かを示すフラグを個別に設定する複数のビットを備えた規制信号を、更には将来的に付加される機能の実行に対してもこれを禁止するか否かを示すフラグを個別に設定する複数のビットを備えた規制信号を、それぞれ生成する規制信号生成手段を備えている、
ことを特徴とした携帯電話制御システム。
【請求項２】
前記請求項１に記載の携帯電話制御システムにおいて、
前記携帯電話制御装置を、特定の公共施設内又は各種教室内等の特定の空間領域に限定して装備したことを特徴とする携帯電話制御システム。
【請求項３】
前記請求項１又は２に記載の携帯電話制御システムにおいて、
前記携帯電話制御装置は、前記携帯電話機で使用されている特定周波数の通信電波とは異なった他の周波数の通信電波を規制信号用として発信する機能を備え、
前記携帯電話機が、前記携帯電話制御装置から発信される前記他の周波数の通信電波を受信すると共に、この受信電波に基づいて前記特定機能停止制御部を機能させるように構成したことを特徴とする携帯電話制御システム。
【請求項４】
前記請求項１、２又は３記載の携帯電話制御システムにおいて、
前記携帯電話制御装置に、前記規制信号が有する複数の各ビットに所定のフラグを設定する情報を入力するためのフラグ情報入力手段を併設したことを特徴とする携帯電話制御システム。
【発明の詳細な説明】
【技術分野】
【０００１】
本発明は、携帯電話制御システムに係り、特に、特定の空間領域（規制エリア）に入った携帯電話機に対して当該携帯電話機が備えている特定の機能，例えば通話機能を、禁止状態に設定するようにした携帯電話制御システムに関する。
【背景技術】
【０００２】
電車の車内、コンサートホール、病院等内においては、携帯電話の発着信による他人に対する迷惑を防止するために、携帯電話の電源をオフ（ＯＦＦ）にするか又はマナーモードにすることが一般的に行われている。しかしながら、携帯電話を携帯する者の中には、この一般的なマナーを遵守しない者もおり、又、うっかり忘れの者も居る。
【０００３】
そこで、電車の車内，コンサートホール，病院等の特定の空間領域にあって、携帯電話を携帯する者の操作に依存することなく、当該携帯電話の着発信規制を行う携帯電話制御システムが開示されている（特許文献１参照）。
【０００４】
上記携帯電話制御システムは、図８に示すように、無線送信装置５０と、携帯電話としてのＰＨＳ６０と、基地局７０とを備えて構成されている。この従来例における携帯電話制御システムでは、無線送信装置５０が、基地局７０との交信とは別周波数の規制信号を所定の領域８０の範囲内に送信する。ＰＨＳ６０は、規制信号を受信したとき、規制信号の内容に従った規制、例えば、位置登録機能，発信機能及び着信機能等の一又は二以上の機能の稼働禁止等の規制を実行するようになっている。
【特許文献１】特開平１１−８８８５号公報
【発明の開示】
【発明が解決しようとする課題】
【０００５】
しかしながら、上記携帯電話制御システムでは、前述した携帯電話にて現時点では普及していない機能が将来普及した場合には、その機能の実行の禁止に対応することができないという問題点があった。
【０００６】
そこで、本発明は、上述した問題点に鑑み、携帯電話機が特定の空間領域（規制エリア）に入った場合には、例えば通話機能又は撮影機能を稼働停止状態に設定することによって当該規制エリアでは周囲の来客等への迷惑を除去すると共に、現時点において普及していない機能が将来普及したときにも、その機能の実行を禁止したい場合に有効に対応し得る携帯電話制御システムを提供することを、その目的とする。
【課題を解決するための手段】
【０００７】
上記目的を達成するため、本発明にかかる携帯電話制御システムでは、複数の機能を備え且つこの複数の機能の内の一又は二以上を選択し稼働状態に設定する機能選択設定部を備えた携帯電話機と、この携帯電話機が特定の空間領域（規制エリア）に入った場合に当該携帯電話機に対して外部から所定の規制信号を送り込んで前記複数の機能の内の一又は二以上の機能を稼働禁止状態に設定する携帯電話制御装置とを備えている。
更に、前述した携帯電話機には、前記携帯電話制御装置から出力される特定の規制信号に付勢されて作動し前記機能選択設定部による設定機能に優先して前記複数の機能の内の一又は二以上の特定の機能を稼働停止状態に設定する特定機能停止制御部が設けられている。更に、前述した携帯電話制御装置から出力される特定の規制信号には、前記携帯電話機に将来的に付加される機能に対しても稼働禁止制御の対象とする複数の付加機能稼働禁止情報が含まれている、という構成を採っている（請求項１乃至４）。
【０００８】
このため、本発明によると、携帯電話が特定の空間領域（規制エリア）に入った場合には、前述した携帯電話制御装置から出力される規制信号によって例えば通話機能又は撮影機能が稼働停止状態に設定される等の規制が実行され、これによって当該規制エリアでは周囲の来客等への迷惑が完全に除去されるという利点があり、同時に、前述した規制信号には、携帯電話機に将来的に付加される機能に対しても稼働禁止制御の対象とする複数の付加機能稼働禁止情報が含まれているので、現時点において普及していない機能が将来普及したとき、新規に製造される携帯電話機にその規制信号を識別する機能を設定することにより、当該機能の実行を禁止したい場合に対応することができる、という公共性に優れた携帯電話制御システムを提供することができる。
【０００９】
ここで、前述した携帯電話制御装置を、特定の公共施設内又は各種教室内等の特定の空間領域（規制エリア）に限定して装備してもよい（請求項２）。又、前述した携帯電話制御装置は、前記携帯電話機で使用されている特定周波数の通信電波とは異なった他の周波数の通信電波を規制信号用として発信する機能を備えると共に、これに対応する携帯電話機が、携帯電話制御装置から発信される他の周波数の通信電波を受信して当該受信電波に基づいて前記特定機能停止制御部を機能させるように構成してもよい（請求項３）。これにより、公共性に優れた携帯電話制御システムに実効を図ることができる。
【００１０】
更に、前述した携帯電話制御装置は、携帯電話機が備えている複数の各機能の実行を禁止するか否かを示すフラグを個別に設定する複数のビットを備えた規制信号を生成する規制信号生成機能を備えた構成としてもよい。又、この携帯電話制御装置については、前記携帯電話機が備えている複数の各機能の実行を禁止するか否かを示すフラグを個別に設定する複数のビットを備えた規制信号を、将来的に付加される機能の実行に対してもこれを禁止するか否かを示すフラグを個別に設定する複数のビットを備えた規制信号を、それぞれ生成する規制信号生成手段を備えている（請求項１）。更に、前述した携帯電話制御装置に、前記規制信号が有する複数の各ビットに所定のフラグを設定する情報を入力するためのフラグ情報入力手段を併設してもよい（請求項４）。
【００１１】
これにより、規制エリア内における携帯電話機の一又は二以上の機能を特定して画一的に（携帯者全員に平等に）且つ確実にその機能を停止させることができ、規制エリア内の管理の公共性を実効あるものとすることができる。
【００１２】
又、本発明にかかる携帯電話制御方法では、携帯電話機が備えている各種機能の動作を個別に規制する規制エリア内に前記携帯電話機が入った場合を想定して、当該携帯電話機に対して一又は二以上の特定の機能の稼働を禁止するための規制信号を予め生成する規制信号生成工程と、前記規制エリア内に入った携帯電話機に対して前記規制信号を送信する規制信号送信工程と、前記規制信号を受信した携帯電話機が当該規制信号の内容に応じて稼働停止の対象となる特定の機能を選定する禁止機能選定工程と、この選定された特定の機能の動作を停止する特定機能稼働停止工程とを備えている。更に、前述した規制信号生成工程は、複数の各機能の実行を禁止するか否かを示すフラグを個別に設定する複数のビットを備えた規制信号と，将来的に付加される機能の実行に対してもこれを禁止するか否かを示すフラグを個別に設定する複数のビットを備えた規制信号とを、それぞれ生成する工程とした。ここで、前述した規制信号生成工程に、前記規制信号の複数の各ビットに対して所定のフラグを設定する情報を入力するフラグ情報入力工程を併設してもよい。
【００１３】
このため、本発明では、規制信号生成工程により生成される規制信号には将来付加される機能の実行を禁止するか否かを示すフラグを設定するビットを有するので、形態電話機に現時点において普及していない機能が将来普及したときにも、新たに設備を改良することなく直ちにこれに対応することが可能となる。
【発明の効果】
【００１４】
以上のように、本発明によると、携帯電話が特定の空間領域（規制エリア）に入った場合には、携帯電話制御装置から出力される規制信号によって例えば通話機能又は撮影機能が稼働停止状態に設定される等の規制が実行され、これによって当該規制エリアでは周囲の来客等への迷惑を完全に除去することができ、同時に、現時点において普及していない機能が将来普及したときにも、迅速にこれに対応して当該機能の稼働禁止を設定することができ、かかる点において、公共性に優れた携帯電話制御システムを提供することができる。
【発明を実施するための最良の形態】
【００１５】
次に、本発明を実施するための最良の形態を添付図面に基づいて説明する。
【００１６】
図１に、本実施形態にかかる携帯電話制御システムのブロック図を示す。
この図１に示す携帯電話制御システムは、例えば美術館や学校等の特定の公共施設内又は病院等で特定の空間領域（規制エリア）Ｓにあって携帯電話の発着信等を規制したい箇所に使用されるシステムであって、携帯電話機２０に対して規制信号Ｐを出力する携帯電話制御装置１０と、この規制信号Ｐに基づいた規制を実行する携帯電話機２０とにより構築されている。
【００１７】
携帯電話制御装置１０は、図２に示すように、携帯電話機２０が特定の空間領域（規制エリア）Ｓに入った場合に当該携帯電話機２０に対して外部から前述した規制信号Ｐを送り込む。この規制信号Ｐには、前述した携帯電話機２０が備えている機能選択設定部２１（図５）を介して当該携帯電話機２０が備えている複数の機能の内の一又は二以上の機能を稼働禁止状態に設定制御する制御情報が含まれている。
この携帯電話制御装置１０から出力される特定の規制信号Ｐには、前述した携帯電話機２０に将来的に付加される機能に対しても稼働禁止制御の対象とする複数の付加機能稼働禁止情報も含まれている。
【００１８】
携帯電話制御装置１０は、図２に示すように、前述した規制信号Ｐを生成する規制信号生成手段１１と、生成した規制信号Ｐを前述した規制エリアＳ内に入った携帯電話機２０に向けて送信する規制信号送信手段１２とを備えている。
ここで、規制信号Ｐは、通常の通話信号の送信周波数とは異なった周波数で携帯電話機２０に向けて送信されるようになっている。又、携帯電話機２０は、携帯電話制御装置１０からの規制信号Ｐを確実に受信し得るように構成されている。
【００１９】
規制信号生成手段１１は、所定の制御プログラムに従って規制信号Ｐを生成する演算制御回路１０１と、この演算制御回路１０１で規制信号Ｐを生成するための所定の制御プログラム等を記憶した記憶回路１０２とを備えた構成となっている。記憶回路１０２は、演算制御回路１０１で生成された規制信号Ｐを記憶する機能も備えている。前述した演算制御回路１０１には、記憶回路１０２内の情報等を表示する表示装置１０３と、前述した演算制御回路１０１に対して規制信号Ｐを生成するに必要な指令情報を入力する入力装置１０４とが併設されている。
【００２０】
規制信号送信手段１２は、前述した規制エリアＳ内に入った携帯電話機２０に向けて規制信号Ｐを送り込む機能を備えている。この規制信号送信手段１２は、図２に示すように、規制信号生成手段１１で生成された規制信号ＰをＤ／Ａ変換するＤ／Ａ変換器１０５と、Ｄ／Ａ変換された規制信号Ｐを搬送波に乗せる変調回路１０６と、ＢＰＦ（バンドパスフィルタ）１０７と、電力増幅器１０８とを備え、アンテナ１０９から前述した携帯電話機２０に向けて発信されるようになっている。
【００２１】
規制信号生成手段１１の演算制御回路１０１は、記憶回路１０２に記憶されている制御プログラムに従って所定の処理を実行する。例えば、演算制御回路１０１は、入力装置１０４から入力された携帯電話機２０の機能を規制する規制情報を基にして、後述する規制情報入力データを生成する。また、例えば、演算制御回路１０１は、記憶回路１０２に予め記憶した規制情報入力データに基づき、例えば図３に示す６４ビットからなるフォーマットを有する規制信号Ｐを生成する。このフォーマットの各ビットは、携帯電話機２０の規制の内容を規定するフラグが入るようになっている。
【００２２】
ここで、上述した図３に基づいてフラグの例を説明すると、例えば、６４ビット中の第１ビットは携帯電話機２０の電源をオフ（ＯＦＦ）にするフラグが設定されるビットであり、第２ビットは携帯電話機２０をマナーモードにするフラグが設定されるビットであり、第３ビットは撮影を禁止するフラグが設定されるビットであり、第４ビットは通話を禁止するフラグがセットされるビットであり、第５ビットは発信を禁止するフラグが設定されるビットであり、又、第６ビットは電波送信を禁止するフラグがセットされるビットである。
【００２３】
第７ビット乃至第６４ビットは、必要に応じて携帯電話に対して規制を実行させるフラグが設定されるビットであり、又、将来必要となる規制を規定するフラグが設定されるビットである。これらのビットに設定されるフラグとして「０」の場合には該当する規制を携帯電話に実行させず、「１」の場合には該当する規制を携帯電話に実行させる。
【００２４】
記憶回路１０２は、ＲＡＭ，ＲＯＭ等の記憶素子からなり、図４に示すように、携帯電話の機能を規制するための規制情報入力データを記憶する規制情報入力データ領域１０２Ａ、演算制御回路１０１に所定の動作を実行させる制御プログラムを記憶する制御プログラム領域１０２Ｂ、及びワーク領域１０２Ｃを有する。規制情報入力データ１０２ａは、例えば、携帯電話をマナーモードにし、撮影を禁止し、且つ通話を禁止する場合には、これらの内容が記述されたデータである。
【００２５】
図２に示す表示装置１０３は、液晶表示装置及ＬＥＤからなり、それぞれ入力した規制情報やこの装置１０の動作状態を表示する。入力装置１０４は、キーボード及びマウス等のポインティングデバイスからなり、稼働規制情報の入力やその他の入力情報を入力する。Ｄ／Ａ変換回路１０５は、演算制御回路１０１から出力されたデジタル信号である規制情報データをアナログ信号に変換する。
【００２６】
変調回路１０６は、Ｄ／Ａ変換回路１０５から出力されたアナログ信号である規制情報データを、アンテナ１０９から無線で送信可能な所定の周波数（通常の通話信号の周波数とは異なった周波数）、例えば４００〔Ｈｚ〕に変調する。ＢＰＦ１０７は、変調回路１０６から出力されたアナログ信号から所定のノイズを除去する。電力増幅器１０８は、美術館等の規制エリアに無線電波が届くように、ノイズが除去された変調信号の電力を増幅する。アンテナ１０９は、電力が増幅された変調信号を無線電波として送信する。
【００２７】
これに対し、前述した携帯電話機２０は、図５に示すように、通話機能，撮影機能，マナーモード設定機能等の複数の機能を備え且つこの複数の機能の内の一又は二以上を選択し稼働状態に設定する機能選択設定部２１を備えている。又、この携帯電話機２０が前述した規制エリア（特定の空間領域）Ｓに入った場合に当該携帯電話機２０に対して前述した携帯電話制御装置１０から前記複数の機能の内の一又は二以上の機能を稼働禁止状態に設定するための所定の規制信号Ｐが送り込まれるようになっている。携帯電話機２０は、この規制信号Ｐを受信すると共に、当該受信した規制信号Ｐに付勢されて作動し前述した機能選択設定部２１に優先して前記複数の機能の内の一又は二以上の特定の機能を稼働停止状態に設定する特定機能停止制御部２２が設けられている。
【００２８】
上述した携帯電話機２０は、図５に示すように、動作制御系として、制御回路２０１と、記憶回路２０２と、入力装置２０３と、表示装置２０４と、撮像装置２０５と、振動装置２０６とを備えている。又、信号送受信系として、ＲＦ増幅器２０７と、ＢＰＦ２０８と、復調回路２０９と、チャネルコーデック２１０と、音声コーデック２１１と、スピーカ２１２と、マイク２１３と、変調回路２１４と、ＢＰＦ２１５と、電力増幅器２１６と、スイッチ２１７と、アンテナ２１８とを備えて構成されている。
【００２９】
ここで、本実施形態では、アンテナ２１８と，ＲＦ増幅器２０７と，復調回路２０９と、チャネルコーデック２１０とによって規制信号受信手段２０Ａが構成されている。又、前述した機能選択設定部２１は、制御回路２０１と入力装置２０３とによって構成されている。また、前述した特定機能停止制御部２２は、制御回路２０１と記憶回路２０２とによって構成されている。
【００３０】
この携帯電話機２０において、動作制御系の主要部を成す前述した制御回路２０１は、記憶回路２０２に記憶されている制御プログラムに従って種々の制御機能を実行する機能を備えている。例えば、この制御回路２０１は、通常の携帯電話機が有する機能を実行すると共に、携帯電話制御装置１０から送信されてきた上述した規制信号に基づいた種々の規制を実行処理する。
【００３１】
この携帯電話機２０の記憶回路２０２は、ＲＡＭ，ＲＯＭ等の記憶素子に基づいて構成されており、制御回路２０１に所定の機能を実行させる制御プログラムを記憶する制御プログラムエリア及びその機能を実行させるために必要なデータを記憶するデータエリア並びにワークエリアを有する。
【００３２】
入力装置２０３は、携帯電話機の機能を実行させる情報を入力するもので、電源キー、実行キー、テンキー等のキーからなる。表示装置２０４は、液晶表示装置からなり携帯電話の実行内容等を表示する。撮像装置２０５は、ＣＣＤカメラを内蔵し外界を撮像する。振動装置２０６は、携帯電話機２０がマナーモードに設定されたときに振動する機能を備えている。
【００３３】
又、規制信号受信手段２０Ａの一部を構成するＲＦ増幅器２０７は、アンテナ２１８が受信した基地局（図示せず）からの受信信号又は携帯電話制御装置１０から規制信号を所定の大きさに増幅する。ＢＰＦ２０８は、ＲＦ増幅器２０７により増幅された受信信号又は規制信号からノイズを除去する。復調回路２０９は、ノイズを除去した受信信号又は規制信号からキャリア信号（搬送波信号）を除去したアナログ信号からなる受信信号または規制信号を生成する機能を備えている。
【００３４】
チャネルコーデック２１０は、復調回路２０９から入力されたアナログ信号からなる受信信号又は規制信号をデジタル信号に符合化し、符合化した受信信号又は規制信号を制御回路２０１および音声コーデック２１１に出力する。また、このチャネルコーデック２１０は、音声コーデックから入力されたデジタル信号で成る音声信号を制御回路２０１に出力するとともに、入力されたデジタル信号を復号化し、この復号化したアナログ信号を変調回路２１４に出力する機能を備えている。
【００３５】
音声コーデック２１１は、入力された符合化された受信信号をアナログ信号に復号化してスピーカ２１２に出力すると共に、マイク２１３から入力された音声をアナログ信号でなる音声信号にし、この音声信号をチャネルコーデック２１０に出力する。
【００３６】
変調回路２１４は、アナログ信号で成る音声信号にキャリア信号を重畳した送信信号を生成する。ＢＰＦ２１５は、変調回路２１４から入力された送信信号からノイズを除去した送信信号を生成する。
電力増幅器２１６は、ノイズを除去した送信信号を基地局に送信するだけの電力に増幅する。スイッチ２１７は、アンテナ２１８から受信信号を受信した場合には、ＲＦ増幅器２０７側にスイッチを切り換え、一方、アンテナ２１８を介して送信信号送信する場合には、電力増幅器２１６側にスイッチを切り換える機能を備えている。
【００３７】
次に、本実施形態の携帯電話制御システムの動作を説明する。
【００３８】
図６は本実施形態の動作を説明するフローチャートである。
ここで、規制エリアＳとして、例えば美術館内を想定する。この美術館内に携帯電話２０が持ち込まれた場合、当該美術館を管理する管理者は、美術館内に装備されている携帯電話制御装置１０の入力装置１０４を用いて、例えば、携帯電話の機能をマナーモード，撮影禁止，通話禁止に設定する規制情報を入力する（フラグ情報入力工程）。携帯電話制御装置１０では、直ちに演算制御回路１０１が作動し、入力装置１０４から送り込まれた規制情報に基づいて規制情報入力データを生成し、生成した規制情報入力データを記憶回路１０２の規制情報入力データ領域１０２Ａに記憶して規制情報の設定を行う（ステップＳ１０１：規制信号生成工程）。
【００３９】
次に、演算制御回路１０１は、記憶回路１０２に記憶されている規制情報入力データを読み出し、図３に示すフォーマットにおいて、第２ビット，第３ビット，及び第４ビットに「１」のフラグを設定し、他のビットに「０」のフラグを設定したフォーマットを有するデジタル信号で成る規制信号を生成し、この規制信号をＡ／Ｄ変換器１０５に出力する（ステップＳ１０２）。
【００４０】
Ｄ／Ａ変換器１０５は、演算制御回路１０１から入力されたデジタル信号で成る規制情報データをアナログ信号に変換し、このアナログ信号でなる規制情報データを変調回路１０６に出力する。変調回路１０６は、入力されたアナログ信号でなる規制情報データにキャリア信号を重畳して携帯電話機２０に送信用の規制信号を生成し（ステップＳ１０３）、生成した送信用の規制信号をＢＰＦ１０に出力する。
【００４１】
ＢＰＦ１０７は、入力された送信用の規制信号からノイズを除去し、このノイズを除去した送信用の規制信号を電力増幅器１０８に出力する。電力増幅器１０８は、美術館等の規制エリアに持ち込まれたすべての携帯電話に規制信号が送信されるように、入力された送信用の規制信号の電力を増幅し、増幅した送信用の規制信号をアンテナ１０９を介して携帯電話機２０に送信する（ステップＳ１０４：規制信号送信工程）。
【００４２】
その後、演算制御回路１０１は、電源がオフ（ＯＦＦ）になったか否かを判定し（ステップＳ１０５）、その結果、電源がＯＦＦになったと判定した場合に（ステップＳ１０５；ＹＥＳ）、処理を終了する。一方、演算制御回路１０１は、電源がＯＦＦになっていないと判定した場合には、ステップＳ１０２に処理を移行して上述したと同様な処理を続行する。
【００４３】
美術館に持ち込まれた携帯電話機２０は、ＲＦ増幅器２０７がアンテナ２１８を介して受信した規制信号を所定の大きさに増幅し、増幅した規制信号をＢＰＦ２０８に出力する。ＢＰＦ２０８は規制信号のノイズを除去し、この信号を復調回路２０９に出力する。復調回路２０９は規制信号からキャリア信号を除去した規制信号を生成し（ステップＳ１０６）、生成したアナログ信号で成る規制信号をチャネルコーデック２１０に出力する。
【００４４】
チャネルコーデック２１０は、入力されたアナログ信号で成る規制信号をデジタル信号に符合化し、符合化した規制信号を制御回路２０１及び音声コーデック２１１に出力する（ステップＳ１０７）。
【００４５】
制御回路２０１は、チャネルコーデック２１０から入力されたデジタル信号でなる規制信号の中の規制内容を規定するフォーマット情報を読み取る（ステップＳ１０８）。すなわち、制御回路２０１は、フォーマット情報の第２ビット，第３ビット，及び第４ビットが「１」のフラグが設定されていることを読み取る（禁止機能選定工程）。その後、制御回路２０１は、振動装置２０６の稼働を可能にし、チャネルコーデック２１０に対して、受信音声を音声コーデックに送信しないように要求を出力すると共に、撮像装置２０５の稼働を禁止する。即ち、制御回路２０１は、携帯電話機２０をマナーモードに設定し、撮影を禁止し、通話を禁止する（ステップＳ１０９：特定機能稼働停止工程）。
【００４６】
その後、制御回路２０１は、所定時間を経過するまでに、チャネルコーデック２１０から規制信号が入力されてきたか否かを判定する（ステップＳ１１０）。制御回路２０１は、チャネルコーデック２１０から規制信号が入力されてきた判定した場合には（ステップＳ１１０；ＹＥＳ）、ステップＳ１０６に処理を移行し、上述したと同様な処理を続行する。一方、制御回路２０１は、規制信号が入力されてこないと判定した場合には、（ステップＳ１１０；ＮＯ）、美術館から退館したものとして、上述した機能の禁止を解除し（ステップＳ１１１）、処理を終了する。
【００４７】
以上のように、本実施形態によると、携帯電話が特定の空間領域（規制エリア）に入った場合には、携帯電話制御装置から出力される規制信号によって例えば通話機能又は撮影機能が稼働停止状態に設定される等の規制が実行され、これによって当該規制エリアでは周囲の来客等への迷惑を完全に除去することができ、同時に、現時点において普及していない機能が将来普及したときにも、携帯電話制御装置１０の規制信号生成手段１０１Ａにより生成される規制信号に、将来付加される機能の実行を禁止するか否なかを示すフラグを設定するビットを有するので、新規に製造される携帯電話にその規制信号を識別する機能を予め内蔵しておくことにより、その機能の実行を禁止したい規制エリアではこれに確実に対応して当該新設機能の稼働禁止を設定することができ、かかる点において、時代の変化に対応した公共性に優れた携帯電話制御システムを提供することができる。
【００４８】
又、この実施形態によれば、携帯電話制御装置１０に対して、入力装置１０４によって、規制信号のフォーマットが有する各ビットに所定のフラグを設定し得るので、携帯電話機２０の所定機能の実行を禁止する規制エリアを管理する管理者は、簡単に携帯電話の所定機能の実行を禁止させることができる。
【００４９】
上述した実施形態の携帯電話制御システムでは、規制信号のフォーマットとして６４ビットを有し、かつ、各ビットごとに携帯電話の機能の実行の禁止を制御するフラグが設定されるようになっているが、これ以外として、図７に示すように、ベンダに関わりなく使用できる標準ビット割当て領域，及び特定のベンダの携帯電話のみ特定のサービスを提供する特定ベンダ領域を有するようにしてもよい。
【産業上の利用可能性】
【００５０】
この実施形態の携帯電話制御システムは、美術館その他公共施設等の規制エリアにおいて使用されるシステムであるが、災害、避難救助、及び緊急通報の場合にも使用可能である。例えば、図３に示すフォーマットの第７ビットを、電源をＯＦＦとするが４００〔Ｈｚ〕信号のみを受信可能にするフラグが設定されるビットとし、かつ、第８ビットを、電源をオン（ＯＮ）にし「待ち状態にするフラグ」を設定するビットとすることで、救助活動において、携帯電話のバッテリーを長持ちさせることができる。また、大雨、地震、津波等の緊急通報が必要になった場合に電源がＯＦＦの状態になっている携帯電話を強制的に電源をＯＮにさせ、緊急通報を一斉通報することが可能となる。
【図面の簡単な説明】
【００５１】
【図１】本発明に係る実施形態の概略構成を示す説明図である。
【図２】図１中に開示した携帯電話制御装置の構成を示すブロック図である。
【図３】図１中に開示した携帯電話制御装置が出力する  規制信号のフォーマットの例を示す説明図である。
【図４】図２中に開示した記憶回路の記憶領域を示す説明図である。
【図５】図１中に開示した携帯電話の構成を示すブロック図である。
【図６】図１の携帯電話制御システムの全体的な動作を示すフローチャートである。
【図７】規制信号の他のフォーマット例を示す説明図である。
【図８】従来の携帯電話制御システムの構成を示す説明図である。
【符号の説明】
【００５２】
１０  携帯電話制御装置
１１  規制信号生成手段
１２  規制信号送信手段
２０  携帯電話機
２１  機能選択設定部
２２  特定機能停止制御部
１０１  演算制御回路
１０２，２０２  記憶回路
１０４  入力装置（フラグ情報入力手段）
１０９，２１８  アンテナ
２０１  制御回路
２０３  入力装置
２０４  表示装置
２０５  撮像装置
２０６  振動装置
２１０  チャネルコーデック
２１１  音声コーデック
Ｓ  規制エリア（特定の空間領域）
【図１】
0004525525.tif 000002
【図２】
0004525525.tif 000003
【図３】
0004525525.tif 000004
【図４】
0004525525.tif 000005
【図５】
0004525525.tif 000006
【図６】
0004525525.tif 000007
【図７】
0004525525.tif 000008
【図８】
0004525525.tif 000009